(57)【要約】      （修正有）【課題】内容物を取り出し終えたチューブ容器７を資源ゴミ扱いとして廃棄するとき、容器の内容物を取り出すための注出口が狭く、使用者が洗浄用水を容器内部に注入しにくく洗浄できないという問題に鑑みて、チューブ容器の胴部に新たな開口部を形成でき、洗浄および乾燥が容易になるチューブ容器を提供する。【解決手段】チューブ容器７のシール部２に、予め開封の開始箇所を示すノッチに切り込みを形成した形態の、開封用切り口５を備えていること、且つ、開封用切り口５と同一位置の胴部１に、手で容易に開口できる開封部６を備えていることを特徴とする。【選択図】図１
0003158229.tif 000002
【実用新案登録請求の範囲】
【請求項１】
チューブ容器のシール部２に、予め開封の開始箇所を示すノッチ５ａに切り込み５ｂを形成した形態の、開封用切り口５を備えており、且つ、その開封用切り口５と同一位置の胴部１に、手で容易に開口できる開封部６を備えていること。
【考案の詳細な説明】
【技術分野】
【０００１】  本考案は、内容物を取り出し終えたチューブ容器７の胴部１に手で新たな開口部を形成することで、容器内部の洗浄および乾燥が容易になり、資源ゴミ扱いできる廃棄性に優れたチューブ容器７に関する。
【背景技術】
【０００２】  医薬品、食品、化粧品、接着剤などに用いられる図４に示すチューブ容器７は、樹脂フィルムで積層形成された胴部１とキャップ３から構成され、キャップスタンディング型が多用されている。胴部１の上部にはシール部２が、下部には内容物を注出する注出口４が形成され、キャップ３で閉じられている。他の密封容器では、注出口以外を手で開封する方法として、形状の工夫やカット方法が多数提案されているが、充填された内容物を取り出し終えたチューブ容器７を資源ゴミ扱いで廃棄する課題には、対応できていないのが現状である。
【先行技術文献】
【特許文献】
【０００３】
【特許文献１】  実登３１１２４７号  公報
【特許文献２】  特許４０９０５６２号  公報
【考案の概要】
【考案が解決しようとする課題】
【０００４】  内容物を取り出し終えたチューブ容器７を資源ゴミ扱いとして廃棄するとき、容器の内容物を取り出すための注出口４が狭く、使用者が洗浄用水を容器内部に注入しづらく洗浄できないという問題に鑑みて、チューブ容器７の胴部１に手で新たな開口部を形成でき、洗浄および乾燥が容易になるチューブ容器７を提供することを課題とする。
【課題を解決するための手段】
【０００５】  前記課題を解決するため本考案は、図１に示すようにチューブ容器７のシール部２に予め開封の開始箇所を示すため、ノッチに切り込みを形成した形態の開封用切り口５を備えていること、且つ、その開封用切り口５と同一位置の胴部１に、手で容易に開口できる開封部６を備えていることを特徴とするチューブ容器７を提供する。
【考案の効果】
【０００６】  上述の如く本考案によれば、内容物を取り出し終えたチューブ容器７の胴部１に手で新たな開口部を形成でき、容器の内側をきれいに洗浄および乾燥することで、容器を資源ゴミとして廃棄が可能になる。容器の胴部１とシール部２の境端から注出口４の首の付け根まで開封するので、開封した胴部１の破片が別々にならず、つながっているので廃棄効果が高くなる。内容物を取り出し終えてから手で開封出来るため、ハサミ等の他の刃物の準備が不要である。資源ゴミとして廃棄が出来るので、使用者の環境意識も高まり、チューブ容器７のリサイクル化も促進できる。
【図面の簡単な説明】
【０００７】
【図１】本考案のチューブ容器の使用形態例を示す正面図である。
【図２】本考案のチューブ容器に（ａ）半円形、（ｂ）Ｉ字形、（ｃ）Ｖ字形を持つ開封用切り口および開封部分を示す拡大図である。
【図３】本考案の一実施例の使用態様を示す説明図である。
【図４】現況のチューブ容器の一例を示す（ａ）正面図と（ｂ）側面図である。
【考案を実施するための形態】
【０００８】  図４に示すように、本考案は、主に容器の運搬が容易で、陳列棚や台の上で見易く、使用者が机上や床面に置けるようにしたキャップスタンディング型のチューブ容器７に適用するが、特に限定はされず、例えば、建材などのスタンディング型でないチューブ容器にも適用できる。
【０００９】  プラスチックフイルムを主体とする公知の積層フィルムを用いた胴部１上の開封部６は、内容物を取り出し終えた容器に新たな開口部を設けるために備えてあり、容器の内側にある残余の内容物を取り出せることで、内容物を無駄なく有効利用でき、且つ、洗浄用水で排出される内容物の量も低減できる。このことから、開封部６は、できるだけ長くとる必要がある。
【００１０】  図１に示すように、開封部６の開封性の向上と開封方向を規制するために、その開封の長さは、チューブ容器７の胴部１とシール部２の境端から注出口４の首の付け根までとし、且つ、自由形状の確保しやすい公知のレーザー光の照射方法によって、開封部６にハーフカット線を形成する。これにより、残余の内容物の有効利用や開封時に胴部１が別々の破片に分かれる誤開封防止もでき、廃棄効果が高まることが推測できる。
【００１１】  図２に示すように、容器のシール部２に、予め開封の開始箇所を示す半円形（図２（ａ））Ｉ字形（図２（ｂ））、Ｖ字形（図２（ｃ））などのノッチ５ａに切り込み５ｂを形成した形態の開封用切り口５を備え、開封部６と同一位置に設ける。しかし、容器によりシール部２の横幅寸法Ｌが２〜１０ｃｍと幅があり、かつ狭く、開封の困難性および容易性などを勘案して、開封用切り口５の位置は、開封部６の位置に依存する。
【実施例】
【００１２】  図３に示すように、一実施例を説明する。開封用切り口５と開封部６の同一位置Ｘが、シール部２の横幅寸法ＬのＬ／２、Ｌ／４、Ｌ／８、Ｌ／１２となるチューブ容器を作製し、シール部２に、予め備えられた開封用切り口５の両端を、常温にて素手で押さえながら、互いに反対方向へ切り開く方法により、開封部６を開口した。本実施例において、開封用切り口５と開封部６の同一位置Ｘは、シール部２の横幅寸法ＬのＬ／２、Ｌ／４、Ｌ／８、Ｌ／１２のいずれかである。【００１３】  開封用切り口５と開封部６の易開封性と誤開封および開封後の易洗浄性を、次の評価基準により官能評価した。
評価基準：
長い易開封性「良」、  誤開封「無」、    易洗浄性「良」  ・・・・・・３点
長い易開封性「可」、  誤開封「やや有」、易洗浄性「可」  ・・・・・・２点
長い易開封性「不可」、誤開封「有」、    易洗浄性「不可」・・・・・・１点【００１４】  上記、チューブ容器の評価結果を表１に示す。この評価結果から、開封用切り口５と開封部６の同一位置Ｘは、シール部２の横幅寸法Ｌの、４分の１以上で２分の１以下とすることが望ましい。【００１５】
【表１】
0003158229.tif 000003
【符号の説明】
【００１６】１  胴部
２  シール部
３  キャップ
４  注出口
５  開封用切り口
５ａ  ノッチ
５ｂ  切り込み
６  開封部
７  チューブ容器
【図１】
0003158229.tif 000004
【図２】
0003158229.tif 000005
【図３】
0003158229.tif 000006
【図４】
0003158229.tif 000007
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
チューブ容器のシール部２に、予め開封の開始箇所を示すノッチ５ａに切り込み５ｂを形成した形態の、開封用切り口５を備えており、且つ、その開封用切り口５の延長線上の胴部１に、素手で容易に開口できる開封部６を形成していることを特徴とするチューブ容器７。
【手続補正２】
【補正対象書類名】明細書
【補正対象項目名】０００５
【補正方法】変更
【補正の内容】
【０００５】  前記課題を解決するため本考案は、図１に示すようにチューブ容器７のシール部２に予め開封の開始箇所を示すため、ノッチに切り込みを形成した形態の開封用切り口５を備えていること、且つ、その開封用切り口５の延長線上の胴部１に、素手で容易に開口できる開封部６を形成していることを特徴とするチューブ容器７を提供する。
【手続補正３】
【補正対象書類名】明細書
【補正対象項目名】００１１
【補正方法】変更
【補正の内容】
【００１１】  図２に示すように、容器のシール部２に、予め開封の開始箇所を示す半円形（図２（ａ））Ｉ字形（図２（ｂ））、Ｖ字形（図２（ｃ））などのノッチ５ａに切り込み５ｂを形成した形態の開封用切り口５を備え、その延長線上の胴部１に開封部６を形成する。しかし、容器によりシール部２の横幅寸法Ｌが２〜１０ｃｍと幅があり、かつ狭く、開封の困難性および容易性などを勘案すると、開封用切り口５の位置は、開封部６の位置に依存する。
【手続補正４】
【補正対象書類名】明細書
【補正対象項目名】００１２
【補正方法】変更
【補正の内容】
【００１２】  図３に示すように、一実施例を説明する。開封用切り口５とその延長線上の開封部６の位置Ｘが、シール部２の横幅寸法ＬのＬ／２、Ｌ／４、Ｌ／８、Ｌ／１２となるチューブ容器を作製し、シール部２に、予め備えられた開封用切り口５の両端を、常温にて素手で押さえながら、互いに反対方向へ切り開く方法により、開封部６を開口した。本実施例において、開封用切り口５とその延長線上の開封部６の位置Ｘは、シール部２の横幅寸法ＬのＬ／２、Ｌ／４、Ｌ／８、Ｌ／１２のいずれかである。
【手続補正５】
【補正対象書類名】明細書
【補正対象項目名】００１４
【補正方法】変更
【補正の内容】
【００１４】  上記、チューブ容器の評価結果を表１に示す。この評価結果から、開封用切り口５とその延長線上の開封部６の位置Ｘは、シール部２の横幅寸法Ｌの、４分の１以上で２分の１以下とすることが好ましい。